(57)【特許請求の範囲】
【請求項１】
木綿織布を織り目に対してバイアスに切断して帯状布にし、この帯状布を叩解して繊維状又は綿状にほぐした加飾原料を形成し、漉槽の中の紙料液の上に適量の加飾原料を散在させて添加し、簀の上に加飾原料を拾うように紙料液を汲み上げて加飾原料が簀の上で所望の模様を呈するようにゆっくり動かして紙料液と加飾液の繊維同士を十分に絡ませ、その後、簀から剥がした湿紙を押圧して脱水し、乾燥処理を施して構成したことを特徴とする木綿繊維を加飾材料とする和紙の製造方法。
【発明の詳細な説明】
【０００１】
【発明の属する技術分野】
本発明は、手すき和紙、特に、主として工芸用に使用する新規な木綿繊維を加飾材料とする和紙及び木綿繊維を加飾材料とする和紙の製造方法に関するものである。
【０００２】
【従来の技術】
和紙は書画用の他に障子紙、襖紙等に使用され、また、和紙の持つ柔らかさ、暖かみ、色相等の和紙の持つ独特の風合いを利用した工芸用材料として広い分野で使用され、特に近年では、工芸用の材料として強く注目を集めるようになり、それに伴って、いろいろな彩色、模様を施した和紙の提供が望まれている。このような加飾した従来の和紙には、漉き合わせ紙、漉き染め、後染め、型染め等が挙げられる。
【０００３】
【発明が解決しようとする課題】
前述の漉き合わせ紙は、二枚の湿紙の間に木の葉、或は染紙等の加飾品を差し挟むで漉き合わせた紙であり、漉き染めは紙の原料を染めてから漉いたものであり、後染めは紙を染めたものであり、漉き染めも後染めも紙全体が単一色で染められた紙であり、型染めは型紙を用いて染める方法であり、その他に多くの加飾を施す方法手段がある。
【０００４】
しながら、これらの和紙の加飾において、漉き合わせ紙を除いて、加飾の材料は染料そのものであって、紙の上に染料液を流したり、紙自体を染めるもので、紙の繊維に他の繊維を絡ませて加飾を施したものではなかった。
【０００５】
本発明は、上記の課題に鑑みてなされたものであって、その目的とするところは、木綿織布を織り目に対してバイアスに切断した帯状布を叩解して所望の繊維長さの繊維状若しくは綿状の加飾原料を形成し、該加飾原料を添加した紙料液を漉くことにより、該加飾原料が簀の上で所望の模様を呈して紙料と加飾原料の繊維同士が十分に絡まりあった新規な木綿繊維を加飾材料とする和紙及び木綿繊維を加飾材料とする和紙の製造方法を提供するものである。
【０００６】
【課題を解決するための手段】
上記目的を達成するために、本発明に係る木綿繊維を加飾材料とする和紙は、木綿織布を叩解して繊維状、綿状にした加飾原料を形成し、該加飾原料を添加した紙料液を漉くことにより加飾原料の繊維と紙料の繊維を絡ませて加飾原料が種種の模様を呈してなる。また、前記加飾材料は木綿織布を織り目に対してバイアスに切断した帯状布を作成し、該帯状布を叩解して、繊維状、綿状に形成する。
【０００７】
更に、本発明の木綿を加飾材料とする和紙の製造方法は、木綿織布を織り目に対してバイヤスに切断して帯状布にし、この帯状布を叩解して繊維状又は綿状にほぐした加飾原料を形成し、漉槽の中の紙料液の上に適量の加飾原料を散在させて添加し、簀の上に加飾原料を拾うように紙料液を汲み上げて加飾原料が簀の上で所望の模様を呈するようにゆっくり動かして紙料液と加飾液の繊維同士を十分に絡ませ、その後、簀から剥した湿紙を押圧して脱水し、乾燥処理を施してなるものである。
【０００８】
前記バイアスに切断した帯状布は、０．５〜２．０ｍｍ幅に切断し、叩解してほぐされたときの繊維長さが０．５〜１．０ｍｍ程度になるのが好ましい。
【０００９】
木綿織布は、あらかじめ着色したものを用いる。また、綿１００％の古着、端切れ等の残り布、残り糸、糸くず等を使用するのが好ましい。
【００１０】
【発明の実施の形態】
図１は抄紙機で、１は紙料液を入れる漉槽、２はひご３で作られた簀４からなる簀桁を示し、通常、手すき和紙は漉槽１の紙料液を簀４の上に汲み込むと、水は簀４のひご３の間隔から漏れにくくなり、そのため、紙料液を簀４の上で時間をかけてゆっくり動かして繊維同士を十分に絡ませて漉きあげる。そして、漉き上げたばかりの湿紙を簀４から剥してこれを脱水処理し、次に、乾燥処理をして作成される。
【００１１】
本発明において、漉槽１の中の紙料液の上に、木綿繊維を材料として形成された加飾原料を所望の配置状態に散在させて添加し、この加飾原料を添加した紙料液を漉くことにより木綿繊維が所望の模様を呈して木綿繊維と紙料の繊維を絡ませて和紙を作成する。
【００１２】
前記加飾原料に用いられる木綿繊維は木綿織布を叩解して繊維状及び繊維が集合する綿状に形成する。木綿織布の繊維は長いので、紙料と絡み合う適当な短い繊維にするまで十分な時間をかけて叩解作業を施さなければならないが、本発明においては、図２に示すように、木綿織布５を織り目に対してバイアスに切断して所望幅の帯状布６を作成し、該帯状布６を叩解することにより、所望長さの繊維を自由に設定すると共に容易且つ確実に得る。
【００１３】
本発明において、木綿織布を織り目に対してバイアスに切断した帯状布を叩解して得た繊維状又は綿状にほぐした加飾原料を形成し、漉槽１の中の紙料液の上に適量の加飾原料を散在させて添加する。紙料液の上の加飾原料は、紙料液に含浸されて紙料液の上に浮いた状態で散在する。そこで、簀４の上に加飾原料を拾うように紙料液を汲み上げ、そして、加飾原料が簀４の上で所望の模様を呈するようにゆっくり動かしながら紙料液と加飾液の繊維同士を十分に絡ませると共に紙料の繊維同士もまた十分絡ませる。その後、漉き上げられたばかりの湿紙を簀４から剥して、従来方法により、湿紙を押圧して脱水し、乾燥処理を施して木綿繊維を加飾材料とする和紙を製造する方法である。
【００１４】
前記紙料は主として楮、三椏、雁皮を使用し、これらの紙料にトロロアオイ等の植物粘液であるネリを水に混ぜて紙料液を作成するのが好ましい。
【００１５】
前記バイアスに切断した帯状布６は、０．５〜２．０ｍｍ幅に切断し、叩解されてほぐしたときの繊維長さが０．５〜１．０ｍｍ程度になるのが好ましい。また、木綿織布５は、あらかじめ着色したものを用いる。また、綿１００％の古着を使用することによりすでに着色された木綿繊維を得ることができる。
【００１６】
前記木綿織布５は、叩解した時に、細い糸は、繊維状または綿状になり、太い糸や撚りの強い糸はほぐれ憎く糸状になる。
【００１７】
【発明の効果】
上記の構成になる本発明の加飾和紙において、綿の繊維はふっくらとした柔らかくて暖かい風合いを与えると共に紙のもつ独特な柔らかくて温かみのある風合いと相入れ合って優れた色相をもつ工芸用の素材の提供として最適であり、しかも、数種の着色を施した繊維を混ぜることにより、色の異なる繊維同士の絡み合いによりエキセントリックな模様を呈する加飾ができる。また、着色した木綿繊維は紙繊維と絡まって一体に加飾加工されているので、加飾が紙から離反したり脱落したりすることがなく、立体感を佩びた風合いを与える。しかも、木綿織布を叩解した時に、細い糸は、繊維状または綿状になり、太い糸や撚りの強い糸はほぐれ憎く糸状のものが多く残り、これらの繊維状、綿状、糸状のものがおもしろく絡まり合って立体感を佩びた独特の模様を呈する。
【００１８】
更に、木綿織布を織り目に対してバイアスに切断することにより、切断幅を任意に設定して繊維の長さを所望する長さに自由にかつ容易に設定することが可能となり、その結果、楮、三椏、雁皮等の紙料の繊維の長さに応じて綿繊維の長さを容易に設定することが可能となる。また、木綿織布として、古着、端切れ布、残り布、残り糸、糸くずの使用が可能であり、廃物の再利用に供し得る等の効果を奏する。
【図面の簡単な説明】
【図１】抄紙機の斜視図である。
【図２】木綿織布をバイヤスに切断した帯状布を示す斜視図である。
【符号の説明】
１    漉槽
２    簀桁
３    ひご
４    簀
５    木綿織布
６    帯布
【図１】
0004168294.tif 000002
【図２】
0004168294.tif 000003